(57)【要約】【課題】クロスフローファンのポテンシャルを十分に引き出すことのできるスタビライザを有する空気調和機を提供すること。【解決手段】少なくともクロスフローファン７と、スタビライザ６とを備え、スタビライザ６のクロスフローファン７に対向する位置に凹部５を設けたことにより、クロスフローファン７によって形成された循環渦がスタビライザ６側に引き付けられることになり、スタビライザ６とリアガイダ８に囲まれた流路から循環渦部を除いた実際の流路が広くなるために、送風性能を向上させ、クロスフローファン７のポテンシャルを十分に引き出すことができる。【選択図】図３
2009300024.tif 000002
【特許請求の範囲】
【請求項１】
少なくともクロスフローファンと、スタビライザとを備え、前記スタビライザの前記クロスフローファンに対向する位置に凹部を設けたことを特徴とする空気調和機。
【請求項２】
前記スタビライザの左右両端部を貫通するように凹部を設けたことを特徴とする請求項１に記載の空気調和機。
【請求項３】
前記凹部の断面形状が、クロスフローファンに対向した表面側が開くような略台形形状となっていることを特徴とする請求項１または２に記載の空気調和機。
【請求項４】
前記凹部の深さを、前記凹部の表面側の幅と同等もしくはそれより大きくする形状とした請求項１〜３のいずれか１項に記載の空気調和機。
【請求項５】
前記凹部と前記スタビライザとの境界面を略Ｒ形状にしたことを特徴とする請求項１〜４のいずれか１項に記載の空気調和機。
【請求項６】
前記凹部を長手方向に複数個設けることを特徴とする請求項１、３〜５のいずれか１項に記載の空気調和機。
【請求項７】
前記凹部毎に凹形状を変えることを特徴とする請求項１〜６のいずれか１項に記載の空気調和機。
【発明の詳細な説明】
【技術分野】
【０００１】
本発明はクロスフローファンとスタビライザとを備えた空気調和機に関するものである。
【背景技術】
【０００２】
従来、この種の空気調和機は、スタビライザがクロスフローファンの回転方向に延びて、スタビライザとリアガイダによって形成された流路内に、クロスフローファンによって作られる循環流れ（循環渦）を受け止める形状となっている。そしてこのスタビライザの舌部から先端にかけての形状は、滑らかな曲線もしくは直線となっている。
【０００３】
図６は、特許文献１に記載された従来の空気調和機の要部拡大図を示すものである。図６に示すように、スタビライザ６と、クロスフローファン７と、リアガイダ８と、熱交換器９とから構成され、図６の（ａ）で示すように、スタビライザ６の舌部から先端にかけての形状は滑らかな曲線もしくは直線となっている。
【特許文献１】特開平１０−１６０１８５号公報
【発明の開示】
【発明が解決しようとする課題】
【０００４】
しかしながら、前記従来の構成では、スタビライザで循環渦の形成を促し、そしてそれを受け止める働きはするものの、その渦に対してはそれ以上の働きはしておらず、クロスフローファンのポテンシャルを十分に引き出してはいない。
【課題を解決するための手段】
【０００５】
前記従来の課題を解決するために、本発明の空気調和機は、本体内にクロスフローファンと、スタビライザと、リアガイダと、熱交換器を備えた空気調和機の室内ユニットにあって、スタビライザの舌部から先端の送風路の形状が従来のような滑らかな曲線もしくは直線となっているのではなく、舌部から先端にかけてのスタビライザ上に凹部を作る。
【発明の効果】
【０００６】
本発明の空気調和機は、スタビライザの舌部から先端にかけて滑らかにつながっているのではなく、凹部が付けられた形状となっていることにより、クロスフローファンによって形成された循環渦がスタビライザ側に引き付けられることになり、スタビライザとリアガイダに囲まれた流路から循環渦部を除いた実際の流路が広くなるために、送風性能の向上につながる。
【発明を実施するための最良の形態】
【０００７】
第１の発明は、スタビライザのクロスフローファンに対向する位置に凹部を設けたことである。一般に凹部上を流体が通過するとき、その箇所において静圧が低下する。図２に示すように、凹部上を流体が流速ｖで通過した結果、流体が凹部を持ち上げる力Ｆが働くと同時に反作用の力によるＦ’が発生する。この特性を利用して、このような凹部をスタビライザのクロスフローファンに対向する位置に作成することにより、クロスフローファンによって形成される空気調和機内部の循環渦をスタビライザ側に引き付けることが可能となる。この結果、空気調和機内部の実際の流路が大きく確保できることになり、風量の増加につながる。
【０００８】
第２の発明は、第１の発明において、その凹部が左右両端部を貫通するような形状となっていることである。このような形状とすることにより、２次元図面で考えることが出来
るために、図面作成から成形に至るまでの過程が容易となる。
【０００９】
第３の発明は、特に第１または第２の発明において、凹部の入口（循環渦形成面）幅（ａ）よりも底の幅（ｂ）を同等もしくは小さくしたことである。このような形状とすることにより、本スタビライザ成形時に型を引き抜くことが容易になる。
【００１０】
第４の発明は、特に第１〜３の発明において、凹部の形状を、その深さ（ｃ）を循環渦形成面における幅（ａ）と同等もしくはそれよりも大きくしたものである。このような形状とすることにより、凹部上を通過する流体が凹部内に入り込みにくくなるため、本スタビライザ使用時の効果が高くなる。
【００１１】
第５の発明は、特に第１〜４の発明において、凹部とスタビライザとの境界面を略Ｒ形状にしたものである。図４に示されるように、凹部の開口に臨んだ端部を略Ｒ形状とすることにより、その箇所において空気の乱れが発生しにくくなるため、安定した循環渦の形成が可能となる。
【００１２】
第６の発明は、特に第１、３〜５の発明において、スタビライザの長手方向に凹部を複数個設けたものである。クロスフローファンによって形成される循環渦はその左右方向においてどの部分でも均一ではなく、側壁の存在あるいはクロスフローファンの上流／下流側の通風抵抗度合い等によって大きく異なり、凹部の存在が返って仇になる部分もある。そのため、このように凹部を単一ではなく複数個設けることにより、循環渦の形成状態が極端に悪い部分には凹部を設けず、必要な部分にのみ凹部を作成出来るため、より効率よく静圧低下を導くことが可能となる。
【００１３】
第７の発明は、特に第１〜６の発明において、凹部の形状をその各々で変えたものである。前述したように、空気調和機においては左右方向で均一の循環渦が形成されているとは限らない。そのため、凹部の形状をその各々の循環渦に適したものにする必要がある。本発明のように凹部形状をその各々で変えることにより、場所ごとの循環渦形成具合を考慮に入れた凹部を作成することが出来る。
【００１４】
以下、本発明の実施の形態について、図面を参照しながら説明する。なお、この実施の形態によって本発明が限定されるものではない。
【００１５】
（実施の形態１）
図１は本発明の第１の実施の形態における空気調和機用室内ユニットを示す。図１において、本体１は台枠２とこの台枠２の前方に取り付けられた前面カバー３とからなり、台枠２および前面カバー３の上部には、吸い込みグリル４が設けられている。
【００１６】
図２は凹部上を流体が通過した場合の力のかかり方を示している。図２において、一般に密度ρの流体が高さｚ、圧力Ｐ、流速ｖで通過するとき（ｇ：重力加速度）、
ベルヌーイの定理：
【００１７】
【数１】
2009300024.tif 000003
【００１８】
より、その箇所においては静圧Ｐが低下する。一方、凹部の内部においてはｖ＝０のため、静圧の低下は起こらない。その結果、凹部の内外においてはその圧力差により、図２に示されるような凹部から外に向かう力Ｆが生じる。すると同時に、作用・反作用の法則により、Ｆとは力の大きさが同じで向きが反対となる力Ｆ’も発生することになる。
【００１９】
図３および図４は本発明の詳細図である。同図において、空気調和機１は、クロスフローファン７によって熱交換器９を通過した風が、スタビライザ６とリアガイダ８で成す流路を通過する構成となっている。また、上下風向変更羽根および左右方向風向変更羽根、そして熱交換温度検出器、マイクロコンピュータなども空気調和機１の構成要素となっている。
【００２０】
本実施形態では、図３に示されるように、スタビライザ６の循環渦形成部に凹部を設けている。このようなスタビライザ形状とすることにより、クロスフローファンによって形成される空気調和機内部の循環渦をスタビライザ側に引き付けることとなり、その結果、送風性能の向上につながる。さらに図４に示されるような形状とすることにより、つまり、この凹部形状をその循環渦形成面で最も大きく（ａ）、表面から離れたときにその幅がより小さく（ｂ）し、そしてその深さ（ｃ）も循環渦形成面における幅（ａ）よりも小さいものとすることにより、この凹部での静圧低下をより顕著に生み出すことが出来る。加えて、この凹部の開口に臨んだ下流側の端部にアールが付けてあるために、これら端部での空気の乱れを防ぐことが可能となる。なお、本発明はスタビライザの舌部から先端の送風路の形状が従来のような滑らかな曲線もしくは直線となっているのではないことを特徴とするものであり、凹部の形状に関しては図３もしくは図４に示されている形状に限ることはない。つまり、凹部が半円等、曲線で形成されていても構わないことは言うまでもない。加えて、スタビライザの循環渦形成部上のどこに凹部を設けようと構わず、さらに、この凹部の開口に臨んだ上流側の端部にアール付けしてあっても構わない。
【００２１】
（実施の形態２）
図５は本発明の第２の実施の形態におけるスタビライザの循環渦形成面の一例である。この図５に示されるように、本発明ではスタビライザ循環渦形成面に設けられた凹部が場所によってその形状が異なる。つまり、この図５では、長手方向中央部および両側壁近傍には凹部を設けないようにしており、また、凹部でもその中央部ではその幅・深さが大きく、反対に端ほど小さくなっている。空気調和機内部においては、一般的に両側壁近傍および機能部品の搭載などを搭載した断面箇所では流速が小さいために循環渦は弱く、かつ不安定になりやすく、反対にそれ以外の領域においては流速が大きいために循環渦は強く安定しやすい。そのため、本実施の形態においては、壁面付近および機能部品搭載箇所においては凹部を作成しないことによって循環渦の形成を妨げないようにし、反対にそれらから離れるほど大きな凹部を作成してその渦をスタビライザ側に引き付ける効果を大きくしている。このように、循環渦形成面の凹部の形状を長手方向に変化させることにより、各位置における循環渦の形成具合を考慮に入れる最適な凹部形状とすることが出来るため、より高い効果を得られる。
【００２２】
なお、クロスフローファンの上流・下流側に搭載された機能部品の状況等によっては、循環渦の安定具合が上記のようになるとは限らず、凹部形状が図５のようになるとは限らないことは言うまでもない。
【産業上の利用可能性】
【００２３】
以上のように、本発明にかかる空気調和機は、循環渦部を除いた実際の流路が広くなるために、送風性能の向上に寄与することができるので、軸流式の送風機等の用途にも適用できる。
【図面の簡単な説明】
【００２４】
【図１】本発明の実施の形態１における空気調和機の室内ユニットの斜視図
【図２】凹部上を流体が通過した場合の力の働き方の概略図
【図３】本発明の実施の形態１における空気調和機の要部拡大図
【図４】本発明の実施の形態１における凹部形状詳細図
【図５】本発明の実施の形態２における空気調和機の要部拡大図
【図６】従来の空気調和機の要部拡大図
【符号の説明】
【００２５】
１  本体
２  台枠
３  前面カバー
４  吸い込みグリル
５  凹部
６  スタビライザ
７  クロスフローファン
８  リアガイダ
９  熱交換器
【図１】
2009300024.tif 000004
【図２】
2009300024.tif 000005
【図３】
2009300024.tif 000006
【図４】
2009300024.tif 000007
【図５】
2009300024.tif 000008
【図６】
2009300024.tif 000009